(57)【要約】      （修正有）【課題】ユーザーの睡眠の質及び集中力を改善する低周波ガイド装置を提供する。【解決手段】低周波ガイド装置１は、一つの基台４と、一つの電子回路基板３と、一つのコイル５とを含んでなる。電子回路基板３は、一つの電力ユニットと、低周波信号を生成する一つのマイクロコントローラユニットと、一つの駆動ユニットと一つの電池ユニットとを含んでなる。低周波信号は、駆動ユニットを通してコイル５へ出力することにより、コイル５が波力（ｗａｖｅ  ｐｏｗｅｒ）を生成させ、波力（ｗａｖｅ  ｐｏｗｅｒ）が、人体の自発的な波力（ｗａｖｅ  ｐｏｗｅｒ）に作用した後に、ユーザーの睡眠の質又は集中力を改善できる。【選択図】図１
0003210650.tif 000002
【実用新案登録請求の範囲】
【請求項１】
低周波ガイド装置は、一つの電子回路基板と、一つの基台と、一つのコイルとを含んでなり、前記電子回路基板は、一つの電力ユニットと、前記電力ユニットに電気的に接続しかつ低周波信号を生成する一つのマイクロコントローラユニットと、前記電力ユニットと前記マイクロコントローラユニットとに電気的に接続する一つの駆動ユニットと、前記電力ユニットに電気的に接続する一つの電池ユニットとを含んでなり、前記電子回路基板が前記基台の一つの側に設置され、さらに前記コイルが前記基台の一つの側に設置されかつ前記電子回路基板と同じ側に位置し、前記コイルが前記電子回路基板の外囲を廻り、前記コイルが前記駆動ユニットの出力端部に電気的に接続し、前記低周波信号が、前記駆動ユニットを通して前記コイルへ出力することにより、前記コイルが波力（ｗａｖｅ  ｐｏｗｅｒ）を生成させることを特徴とする、低周波ガイド装置。
【請求項２】
前記駆動ユニットが、前記電力ユニットと前記マイクロコントローラユニットとに電気的に接続する一つの駆動チップと、前記駆動チップに電気的に接続する一つの抵抗と、一つのコネクターとを含んでなり、前記コネクターの入力端部が、それぞれ前記抵抗と前記駆動チップとに電気的に接続し、前記コネクターの出力端部が前記コイルに電気的に接続し、前記駆動チップが、前記マイクロコントローラユニットに電気的に接続する一つの第１の電界効果トランジスタと、前記マイクロコントローラユニットに電気的に接続する一つの第２の電界効果トランジスタと、前記電力ユニットに電気的に接続する一つの第３の電界効果トランジスタと、前記電力ユニットに電気的に接続する一つの第４の電界効果トランジスタと、前記第１の電界効果トランジスタに電気的に接続する一つの第１のダイオードと、前記第２の電界効果トランジスタに電気的に接続する一つの第２のダイオードと、前記第３の電界効果トランジスタに電気的に接続する一つの第３のダイオードと、前記第４の電界効果トランジスタに電気的に接続する一つの第４のダイオードと、及び一つのアース端子とを含んでなり、前記第１の電界効果トランジスタのゲート電極端部が前記マイクロコントローラユニットに電気的に接続し、前記第１の電界効果トランジスタのソース電極端部が前記第１のダイオードのプラス端と前記アース端子とに電気的に接続し、前記第１の電界効果トランジスタのドレイン電極端部が、前記第１のダイオードのマイナス端と、前記第３の電界効果トランジスタのドレイン電極端部と、前記第３のダイオードのプラス端と前記コネクターの入力端部とに電気的に接続し、前記第２の電界効果トランジスタのゲート電極端部が前記マイクロコントローラユニットに電気的に接続し、前記第２の電界効果トランジスタのソース電極端部が前記第２のダイオードのプラス端と前記アース端子とに電気的に接続し、前記第２の電界効果トランジスタのドレイン電極端部が、前記第２のダイオードのマイナス端と、前記第４の電界効果トランジスタのドレイン電極端部と、前記第４のダイオードのプラス端と前記抵抗とに電気的に接続し、前記第３の電界効果トランジスタのソース電極端部が、前記第３のダイオードのマイナス端と前記電力ユニットとに電気的に接続し、前記第４の電界効果トランジスタのソース電極端部が、前記第４のダイオードのマイナス端と前記電力ユニットとに電気的に接続することを特徴とする、請求項１に記載の低周波ガイド装置。
【請求項３】
前記基台が、一つの基板と一つの弧形板を連結することにより構成され、前記基板が、互いに前記弧形板に連続しかつ互いに平行する二つの側辺と、互いにそれぞれの前記側辺に連続する一つの底辺とを含んでなり、前記基台の上部は、前記基台に対応する一つのカバー台と接続することにより、前記電子回路基板と前記コイルとを被覆する殻体を構成することを特徴とする、請求項１又は２に記載の低周波ガイド装置。
【考案の詳細な説明】
【技術分野】
【０００１】
本考案は、ガイド装置に関するもので、特に生物の波力（ｗａｖｅ  ｐｏｗｅｒ）により、ユーザーの睡眠又は集中力の面を導いて扶助を受容させる低周波ガイド装置を示す。
【背景技術】
【０００２】
社会の進歩により、生活が多忙かつ緊迫的となり、人間の身体・精神も緊張・緊迫・躁鬱となることを招く。甚だしきに至っては、人間の睡眠の質，仕事時の集中力又は勉強時の集中力に対して影響を及ぼす。
【０００３】
睡眠の質又は集中力を改善する既存の治療手段には、薬物又は医療機器がある。しかしながら、薬物は、睡眠又は集中力を改善できるものの、多用が副作用を起こすことで、人体の器官の保護防衛機能が損壊する。甚だしきに至っては、ユーザーに、薬物依存又は毒物乱用の不正行為を招く。
【０００４】
既存の医療機器には、薬物依存又は毒物乱用のリスクは存在しないが、ユーザーは身体上に器具をいくつも載置して治療を受ける必要があり、ユーザーの不快感を招くおそれがあることから、より改善する必要がある。
【考案の概要】
【考案が解決しようとする課題】
【０００５】
本考案の目的は、生物の波力（ｗａｖｅ  ｐｏｗｅｒ）により、ユーザーの睡眠又は集中力の面を導いて扶助を受容させる低周波ガイド装置を提供するものである。
【課題を解決するための手段】
【０００６】
本考案は、上記の目的に基づき、低周波ガイド装置を提供し、前記低周波ガイド装置は、一つの基台と、前記基台の一側に設置される一つの電子回路基板と一つのコイルとを含んでなる。前記電子回路基板は、一つの電力ユニットと、前記電力ユニットに電気的に接続しかつ低周波信号を生成する一つのマイクロコントローラユニットと、前記電力ユニットと前記マイクロコントローラユニットとに電気的に接続する一つの駆動ユニットと、前記電力ユニットに電気的に接続する一つの電池ユニットとを含んでなる。前記コイルは、前記基台の一つの側に設置されかつ前記電子回路基板と同じ側に位置し、前記コイルが前記電子回路基板の外周を廻り、前記コイルが前記駆動ユニットの出力端部に電気的に接続する。前記低周波信号が、前記駆動ユニットを通して前記コイルへ出力することにより、前記コイルが波力（ｗａｖｅ  ｐｏｗｅｒ）を生成させる。
【図面の簡単な説明】
【０００７】
【図１】本考案の低周波ガイド装置の斜視図である。
【図２】本考案の電子回路基板のブロック図である。
【図３】本考案の駆動ユニットの電気回路図である。
【考案を実施するための形態】
【０００８】
図１と図２で参照して示すように、本考案により、低周波ガイド装置１が提供され、該低周波ガイド装置１は、一つの基台４と、該基台４の一つの側に設置される一つの電子回路基板３と、一つのコイル５とを含んでなる。前記電子回路基板３は、一つの電力ユニット３０と、該電力ユニット３０に電気的に接続しかつ１００ヘルツより小さな低周波信号を生成する一つのマイクロコントローラユニット３１と、前記電力ユニット３０と前記マイクロコントローラユニット３１とに電気的に接続する一つの駆動ユニット３２と、前記電力ユニット３０に電気的に接続しかつ充電式電池となる一つの電池ユニット３３とを含んでなる。
【０００９】
前記コイル５は、前記基台４の一つの側に設置されかつ前記電子回路基板３と同じ側に位置し、前記コイル５が前記電子回路基板３の外周を廻り、前記コイル５が前記駆動ユニット３２の出力端部に電気的に接続する。前記低周波信号が、前記駆動ユニット３２を通して前記コイル５へ出力することにより、前記コイル５が生物の波力（ｗａｖｅ  ｐｏｗｅｒ）を生成させる。
【００１０】
前記低周波ガイド装置１は、前記電力ユニット３０に電気的に接続する一つの外部給電ユニット２を含んでなり、該外部給電ユニット２は、電力を、前記電力ユニット３０で変換して、前記マイクロコントローラユニット３１と前記駆動ユニット３２へ提供する。同時に、前記外部給電ユニット２の電力を、前記電力ユニット３０で変換して、電池ユニット３３に対して充電を行ってもよく、一旦、ユーザーが、前記低周波ガイド装置１を携帯してソケットの無い環境へ行く時には、前記電力ユニット３３により、電力を、前記マイクロコントローラユニット３１と前記駆動ユニット３２へ提供できる。従って、ユーザーは、時間・空間の制限の無い環境で、本考案を使用できる。
【００１１】
他の実施例では、前記電力ユニット３０が一つの定電圧回路を含んでなり、該定電圧回路は、前記外部給電ユニット２と、前記マイクロコントローラユニット３１と、前記駆動ユニット３２と電池ユニット３３とに電気的に接続する。前記定電圧回路は、前記外部給電ユニット２の電力を、前記マイクロコントローラユニット３１と、前記駆動ユニット３２と電池ユニット３３とへ適切に調整して提供できるほか、さらには、前記電池ユニット３３を電力ソースとする時に、前記定電圧回路も、前記電池ユニット３３の電力を、前記マイクロコントローラユニット３１と前記駆動ユニット３２とへ適切に調整して提供できる。
【００１２】
続いて図２と図３で示すように、前記駆動ユニット３２は、前記電力ユニット３０と前記マイクロコントローラユニット３１とに電気的に接続する一つの駆動チップ３４と、前記駆動チップ３４に電気的に接続する一つの抵抗３５と、一つのコネクター３６とを含んでなる。前記コネクター３６の入力端部は、それぞれ前記抵抗３５と前記駆動チップ３４とに電気的に接続し、前記コネクター３６の出力端部は前記コイル５に電気的に接続する。
【００１３】
前記駆動チップ３４は、前記マイクロコントローラユニット３１に電気的に接続する一つの第１の電界効果トランジスタ３４０と、前記マイクロコントローラユニット３１に電気的に接続する一つの第２の電界効果トランジスタ３４１と、前記電力ユニット３０に電気的に接続する一つの第３の電界効果トランジスタ３４２と、前記電力ユニット３０に電気的に接続する一つの第４の電界効果トランジスタ３４３と、前記第１の電界効果トランジスタ３４０に電気的に接続する一つの第１のダイオード３４４と、前記第２の電界効果トランジスタ３４１に電気的に接続する一つの第２のダイオード３４５と、前記第３の電界効果トランジスタ３４２に電気的に接続する一つの第３のダイオード３４６と、前記第４の電界効果トランジスタ３４３に電気的に接続する一つの第４のダイオード３４７と、一つのアース端子３４８とを含んでなる。
【００１４】
上記の通り、前記第１の電界効果トランジスタ３４０のゲート電極端部（Ｇａｔｅ）は、前記マイクロコントローラユニット３１に電気的に接続し、前記第１の電界効果トランジスタ３４０のソース電極端部（Ｓｏｕｒｃｅ）が、前記第１のダイオード３４４のプラス端と前記アース端子３４８とに電気的に接続し、前記第１の電界効果トランジスタ３４０のドレイン電極端部（Ｄｒａｉｎ）が、前記第１のダイオード３４４のマイナス端と、前記第３の電界効果トランジスタ３４２のドレイン電極端部と、前記第３のダイオード３４６のプラス端と前記コネクター３６の入力端部とに電気的に接続する。前記第２の電界効果トランジスタ３４１のゲート電極端部は、前記マイクロコントローラユニット３１に電気的に接続し、前記第２の電界効果トランジスタ３４１のソース電極端部が、前記第２のダイオード３４５のプラス端と前記アース端子３４８とに電気的に接続し、前記第２の電界効果トランジスタ３４１のドレイン電極端部が、前記第２のダイオード３４５のマイナス端と、前記第４の電界効果トランジスタ３４３のドレイン電極端部と、前記第４のダイオード３４７のプラス端と前記抵抗３５とに電気的に接続する。前記第３の電界効果トランジスタ３４２のソース電極端部が、前記第３のダイオード３４６のマイナス端と前記電力ユニット３０とに電気的に接続し、前記第４の電界効果トランジスタ３４３のソース電極端部が、前記第４のダイオード３４７のマイナス端と前記電力ユニット３０とに電気的に接続する。
【００１５】
具体的に説明すると、前記外部給電ユニット２が前記電力ユニット３０に電気的に接続した後に、前記電力ユニット３０が、電力を、前記マイクロコントローラユニット３１と前記駆動ユニット３２とへ提供する。続いて前記マイクロコントローラユニット３１が前記低周波信号を生成しかつ前記駆動ユニット３２へ出力し、この後、前記駆動ユニット３２が、前記低周波信号を昇圧した後に、さらに前記コネクター３６を経由して前記コイル５へ出力することにより、前記コイル５が波力（ｗａｖｅ  ｐｏｗｅｒ）を生成させる。前記波力（ｗａｖｅ  ｐｏｗｅｒ）が、人体の自発的な波力（ｗａｖｅ  ｐｏｗｅｒ）との反応作用を生成し、これにより、ユーザーの睡眠の質及び集中力を改善する。
【００１６】
上記の通り、本考案を使用する時は、身体上に器具を載置する必要がなく、ユーザーに不快感を生じさせることがなく、従来の、身体上に器具を載置する必要があった欠点とは異なっている。その他、前記コイル５が前記基台４に平行していることにより、波力（ｗａｖｅ  ｐｏｗｅｒ）が平均的に発散し、作用環境内におけるどの人間でも扶助を受容することができる。
【００１７】
再び図１と図２で参照して示すように、前記基台４は、一つの基板４０と一つの弧形板４１とを連結することにより構成され、前記基板４０は、互いに前記弧形板４１に連続しかつ互いに平行する二つの側辺４００と、互いにそれぞれの前記側辺４００に連続しかつ前記弧形板４１から遠位の一つの底辺４０１を含んでなる。前記基台４は上部で、前記基台４に対応する一つのカバー台６と接続することにより、前記電子回路基板３と前記コイル５とを被覆する記憶トースト状のような殻体７を構成する。トースト状外形は、集中力の向上については、学習を強化して脳部へ記憶する機能を有するが、睡眠については、ユーザーの睡眠状態における集中力に有効に寄与できる。
【００１８】
上記の通り、前記殻体７の所定箇所に、前記電力ユニット３０に電気的に接続する一つの電気差込口７０が開設され、電気接線により、前記外部給電ユニット２と前記電気差込口７０とが電気的に接続する。さらには、前記電気差込口７０を、ＵＳＢポートとなるように設けることにより、ユーザーが、ＵＳＢ接線を介してモバイル・パワーパックを前記電気差込口７０に電気的に接続でき、前記電池ユニット３３の電力が消耗し切りそうになったり、電源が切れる時に、直ちに前記モバイル・パワーパックを介して充電してもよい。
【００１９】
さらには、前記殻体７の外周に、前記電気差込口７０を蓋設するカバーボディーを設置することで、未使用時に前記カバーボディーを利用して前記電気差込口７０を封止でき、不注意で液体が前記電子回路基板３に流れて短絡を生成して損壊することを避けられる。
【００２０】
本考案は、以下の特徴を達成できる。
【００２１】
１、前記マイクロコントローラユニット３１を介して前記低周波信号を生成し、前記低周波信号が前記駆動ユニット３２を通して前記コイル５へ出力することにより、前記コイル５が波力（ｗａｖｅ  ｐｏｗｅｒ）を生成させ、前記波力（ｗａｖｅ  ｐｏｗｅｒ）が、人体の自発的な波力（ｗａｖｅ  ｐｏｗｅｒ）と作用した後に、ユーザーの睡眠の質又は集中力を改善できる。
【００２２】
２、ソケットが存在する環境では、前記外部給電ユニット２を前記電子回路基板３の電力ソース端部と見なしてもよいが、ソケットが存在しない環境では、前記電池ユニット３３を前記電子回路基板３の電力ソース端部と見なしてもよく、ユーザーは前記低周波ガイド装置１を携帯してソケットのある環境又はソケットの無い環境へ行ってもよく、ユーザーは時間・空間の制限の無い環境で前記低周波ガイド装置１を使用でき、これにより、本考案が広汎に応用できる。
【００２３】
３、本考案を使用する時に、身体上に器具を載置する必要がなく、ユーザーに不快感を生じさせることなく、従来の、身体上に器具を載置する必要があった欠点とは異なる。
【００２４】
４、前記殻体７がトースト状外形であり、集中力の向上については、学習を強化して脳部へ記憶する機能を有するが、睡眠については、ユーザーの睡眠状態における集中力に有効に寄与でき、これにより、イメージを豊富にする。
【符号の説明】
【００２５】
１  低周波ガイド装置
２  外部給電ユニット
３  電子回路基板
４  基台
５  コイル
６  カバー台
７  殻体
３０  電力ユニット
３１  マイクロコントローラユニット
３２  駆動ユニット
３３  電池ユニット
３４  駆動チップ
３５  抵抗
３６  コネクター
４０  基板
４１  弧形板
７０  電気差込口
３４０  第１の電界効果トランジスタ
３４１  第２の電界効果トランジスタ
３４２  第３の電界効果トランジスタ
３４３  第４の電界効果トランジスタ
３４４  第１のダイオード
３４５  第２のダイオード
３４６  第３のダイオード
３４７  第４のダイオード
３４８  アース端子
４００  側辺
４０１  底辺
【図１】
0003210650.tif 000003
【図２】
0003210650.tif 000004
【図３】
0003210650.tif 000005